(57)【特許請求の範囲】
【請求項１】
第１の基板上に形成され、複数の導電領域に分割された第１導電膜を有する第１電極基板と、
第２の基板上に形成され、前記第１導電膜と対向する第２導電膜を有する第２電極基板と、
前記第２導電膜において電位分布を生じさせるために前記第２導電膜の四辺の端部に設けられた電極と、
前記導電領域の各々に接続され、前記導電領域のいずれかが前記第２導電膜と接触すると、当該接触のあった導電領域内の座標位置を検出する座標検出回路と、
前記複数の導電領域の各々を前記座標検出回路に接続する、平面視で前記複数の導電領域の周囲に形成される複数の引出電極と
を備え、
前記複数の導電領域のうち平面視で外側にある第１導電領域と前記座標検出回路との間の抵抗値と、前記複数の導電領域のうち平面視で内側にある第２導電領域と前記座標検出回路との間の抵抗値とは等しく、
前記第１導電領域に接続される第１引出電極の抵抗値を前記第２導電領域に接続される第２引出電極の抵抗値よりも高くすることにより、前記第１導電領域と前記座標検出回路との間の抵抗値は、前記第２導電領域と前記座標検出回路との間の抵抗値と等しくされる、タッチパネル。
【請求項２】
前記第１引出電極は、電極幅を前記第２引出電極の電極幅よりも狭くすることにより、前記第２引出電極の抵抗値よりも抵抗値が高くされる、請求項１記載のタッチパネル。
【請求項３】
前記第１引出電極は、電極長を前記第２引出電極の電極長よりも長くすることにより、前記第２引出電極の抵抗値よりも抵抗値が高くされる、請求項１記載のタッチパネル。
【請求項４】
前記導電領域は、前記第１導電領域及び前記第２導電領域に加えて、前記第２導電領域よりもさらに内側にある第３導電領域にも分割されており、
前記第１導電領域及び前記座標検出回路の間の抵抗値と、前記第２導電領域及び前記座標検出回路の間の抵抗値と、前記第３導電領域及び前記座標検出回路の間の抵抗値は等しく、
前記第１導電領域に接続される第１引出電極の抵抗値を前記第２導電領域に接続される第２引出電極の抵抗値よりも高くし、前記第２引出電極の抵抗値を前記第３導電領域に接続される第３引出電極の抵抗値よりも高くすることにより、前記第１導電領域及び前記座標検出回路の間の抵抗値と、前記第２導電領域及び前記座標検出回路の間の抵抗値と、前記第３導電領域及び前記座標検出回路の間の抵抗値は等しくされる、請求項１記載のタッチパネル。
【請求項５】
前記第１導電膜で形成され、前記第１導電領域と前記引出電極との間を迂回して接続する迂回パターンと、
をさらに含み、
前記第１導電領域と前記座標検出回路との間の抵抗値は、前記迂回パターン及び前記引出電極により、前記第２導電領域と前記座標検出回路との間の抵抗値と等しくされる、請求項１乃至４のいずれか一項記載のタッチパネル。
【発明の詳細な説明】
【技術分野】
【０００１】
本発明は、タッチパネルに関する。
【背景技術】
【０００２】
タッチパネルは、ディスプレイに直接入力をすることが可能な入力デバイスであり、ディスプレイの前面に設置して使用される。このタッチパネルは、ディスプレイにより視覚的にとらえた情報に基づき、直接入力することができることから、様々な用途において普及している。
【０００３】
このようなタッチパネルとしては、抵抗膜方式が広く知られている。抵抗膜方式のタッチパネルは、透明導電膜が形成された上部電極基板及び下部電極基板において、各々の透明導電膜同士が対向するように設置し、上部電極基板の一点に力を加えることにより各々の透明導電膜同士が接触し、力の加えられた位置の位置検出を行うことができるものである。
【０００４】
抵抗膜方式のタッチパネルは、４線式と５線式とに大別することができる。４線式は、上部電極基板又は下部電極基板のどちらか一方にＸ軸の電極が設けられており、他方にＹ軸の電極が設けられている。一方、５線式は、下部電極基板にＸ軸の電極及びＹ軸の電極がともに設けられており、上部電極基板は、電圧を検出するためのプローブとして機能するものである（例えば、特許文献１、２）。
【０００５】
具体的に、図１及び図２に基づき５線式のタッチパネルについて説明する。図１は、５線式のタッチパネルの斜視図であり、図２は、５線式のタッチパネルの断面の概要図である。
【０００６】
５線式のタッチパネル２００は、上部電極基板となる一方の面に透明導電膜２３０の形成されたフィルム２１０と、下部電極基板となる一方の面に透明導電膜２４０の形成されたガラス２２０からなり、透明導電膜２３０及び透明導電膜２４０が対向するようにスペーサ２５０を介し設置されている。５線式のタッチパネル２００と不図示のホストコンピュータとはケーブル２６０により電気的に接続されている。
【０００７】
このような構成の５線式のタッチパネル２００では、図３（ａ）に示すように、透明導電膜２４０の端部の４辺に設けられた電極２４１、２４２、２４３、２４４により、Ｘ軸方向、Ｙ軸方向に交互に電圧を印加し、透明導電膜２３０と透明導電膜２４０とが、接触位置Ａ点において接触することにより、図３（ｂ）に示すように、透明導電膜２３０を介し電位Ｖａを検出し、Ｘ軸方向及びＹ軸方向の各々の座標位置を検出する方式である。
【０００８】
ところで、上述した５線式のタッチパネルでは、一点における接触位置は検出することは可能であるが、複数点が同時に接触した場合には位置検出をすることができない。
【０００９】
即ち、図４（ａ）に示すように、透明導電膜２４０の４辺に設けられた電極２４１、２４２、２４３、２４４により、Ｘ軸方向、Ｙ軸方向に交互に電圧を印加した場合において、透明導電膜２３０と透明導電膜２４０とが接触位置Ａ点及びＢ点の２点において接触すると、Ａ点とＢ点の間の中間点における押下されていない一点の座標位置が検出されてしまう。これは、図４（ｂ）に示すように、電位検出による位置検出方法であることから、接触位置Ａ点及びＢ点の二点で接触した場合であっても、透明導電膜２３０を介し検出される電位はＶｃの１つだけであるため、接触位置が一点であるものと判断してしまうためである。
【先行技術文献】
【特許文献】
【００１０】
【特許文献１】特開２００４−２７２７２２号公報
【特許文献２】特開２００８−２９３１２９号公報
【発明の概要】
【発明が解決しようとする課題】
【００１１】
本発明は、上記に鑑みてなされたものであり、複数の接触位置において同時に接触した場合においても、各々の接触位置を検出することができるとともに、接触位置が移動した場合においても、位置検出が可能なタッチパネルを提供することを目的とするものである。
【課題を解決するための手段】
【００１２】
本発明の一観点によるタッチパネルは、第１の基板上に形成され、複数の導電領域に分割された第１導電膜を有する第１電極基板と、第２の基板上に形成され、前記第１導電膜と対向する第２導電膜を有する第２電極基板と、前記第２導電膜において電位分布を生じさせるために前記第２導電膜の四辺の端部に設けられた電極と、前記導電領域の各々に接続され、前記導電領域のいずれかが前記第２導電膜と接触すると、当該接触のあった導電領域内の座標位置を検出する座標検出回路と、前記複数の導電領域の各々を前記座標検出回路に接続するために、平面視で前記複数の導電領域の周囲に形成される複数の引出電極とを備え、前記複数の導電領域のうち平面視で外側にある第１導電領域と前記座標検出回路との間の抵抗値と、前記複数の導電領域のうち平面視で内側にある第２導電領域と前記座標検出回路との間の抵抗値とは等しく、前記第１導電領域に接続される第１引出電極の抵抗値を前記第２導電領域に接続される第２引出電極の抵抗値よりも高くすることにより、前記第１導電領域と前記座標検出回路との間の抵抗値は、前記第２導電領域と前記座標検出回路との間の抵抗値と等しくされる。
【００１３】
また、前記第１引出電極は、電極幅を前記第２引出電極の電極幅よりも狭くすることにより、前記第２引出電極の抵抗値よりも抵抗値が高くされてもよい。
【００１４】
また、前記第１引出電極は、電極長を前記第２引出電極の電極長よりも長くすることにより、前記第２引出電極の抵抗値よりも抵抗値が高くされてもよい。
【００１５】
また、前記導電領域は、前記第１導電領域及び前記第２導電領域に加えて、前記第２導電領域よりもさらに内側にある第３導電領域にも分割されており、前記第１導電領域及び前記座標検出回路の間の抵抗値と、前記第２導電領域及び前記座標検出回路の間の抵抗値と、前記第３導電領域及び前記座標検出回路の間の抵抗値は等しく、前記第１導電領域に接続される第１引出電極の抵抗値を前記第２導電領域に接続される第２引出電極の抵抗値よりも高くし、前記第２引出電極の抵抗値を前記第３導電領域に接続される第３引出電極の抵抗値よりも高くすることにより、前記第１導電領域及び前記座標検出回路の間の抵抗値と、前記第２導電領域及び前記座標検出回路の間の抵抗値と、前記第３導電領域及び前記座標検出回路の間の抵抗値は等しくされてもよい。
【００１６】
また、前記第１導電膜で形成され、前記第１導電領域と前記引出電極との間を迂回して接続する迂回パターンをさらに含み、前記第１導電領域と前記座標検出回路との間の抵抗値は、前記迂回パターン及び前記引出電極により、前記第２導電領域と前記座標検出回路との間の抵抗値と等しくされてもよい。
【発明の効果】
【００２９】
本発明によれば、複数の接触位置において同時に接触した場合においても、各々の接触位置を検出することができるとともに、接触位置が移動した場合においても、位置検出が可能なタッチパネルを提供することができる。
【図面の簡単な説明】
【００３０】
【図１】従来の５線式のタッチパネルの斜視図である。
【図２】従来の５線式のタッチパネルの断面概要図である。
【図３】従来の５線式のタッチパネルにおける座標検出方法の説明図（１）である。
【図４】従来の５線式のタッチパネルにおける座標検出方法の説明図（２）である。
【図５】実施の形態１のタッチパネルの上部電極基板の構造図である。
【図６】実施の形態１のタッチパネルの下部電極基板における構造図である。
【図７】実施の形態１のタッチパネルの断面図である。
【図８】実施の形態１のタッチパネルの説明図である。
【図９】実施の形態１のタッチパネルの上部電極基板の透明導電膜の構造図である。
【図１０】実施の形態２のタッチパネルの上部電極基板と下部電極基板を示す図である。
【図１１】実施の形態３のタッチパネルの上部電極基板を示す図である。
【図１２】実施の形態４のタッチパネルの上部電極基板を示す図である。
【図１３】実施の形態５のタッチパネルの上部電極基板を示す図である。
【図１４】実施の形態６のタッチパネルの上部電極基板を示す図である。
【図１５】実施の形態７のタッチパネルの上部電極基板を示す図である。
【図１６】実施の形態８のタッチパネルの上部電極基板の構造図である。
【図１７】実施の形態８のタッチパネルの下部電極基板における構造図である。
【図１８】実施の形態８のタッチパネルの断面図である。
【図１９】実施の形態８のタッチパネルの説明図である。
【図２０】実施の形態８のタッチパネル８００の上部電極基板８１０の透明導電膜８１２の一部分と引出電極部８１３を示す図である。
【図２１】実施の形態８の変形例のタッチパネル８００の透明導電膜８１２の一部分と引出電極部８１３を示す図である。
【図２２】実施の形態８の変形例のタッチパネル８００の透明導電膜８１２の一部分と引出電極部８１３を示す図である。
【図２３】実施の形態８の変形例のタッチパネル８００の透明導電膜８１２の一部分と引出電極部８１３を示す図である。
【図２４】実施の形態９のタッチパネル９００の上部電極基板の透明導電膜９１２に形成される導電領域９２１、９２２、９２３の配列を示す図である。
【発明を実施するための形態】
【００３１】
以下、本発明のタッチパネルを適用した実施の形態について説明する。
【００３２】
＜実施の形態１＞
図５は実施の形態１のタッチパネルの上部電極基板の構造図であり、図６は実施の形態１のタッチパネルの下部電極基板における構造図であり、図７は実施の形態１のタッチパネルの断面図であり、図８は実施の形態１のタッチパネルの説明図である。
【００３３】
実施の形態１のタッチパネルは、フィルム１１の一方の面に透明導電膜１２が形成された略長方形状の上部電極基板１０と、上部電極基板１０と略同じ形状のガラス基板２１の一方の面に透明導電膜２２が形成された下部電極基板２０とを含む。
【００３４】
また、タッチパネルは、座標検出回路５０を有する駆動回路５１をさらに含む。なお、図７に示す座標検出回路５０及び駆動回路５１は一例であり、座標検出回路５０及び駆動回路５１の構成は図７に示すものに限られない。
【００３５】
上部電極基板１０と下部電極基板２０とは、上部電極基板１０における透明導電膜１２と下部電極基板２０における透明導電膜２２とが対向するように、スペーサ３１等を介し、接着剤または両面テープにより接合されている。
【００３６】
上部電極基板１０における透明導電膜１２は、全体の領域１２０のうち左側の３／４の領域１２０Ａが短手方向である縦方向に４分割、長手方向である横方向に６分割されて２４分割されている。全体の領域１２０のうち右側の１／４の領域１２０Ｂ内では、透明導電膜１２は分割されていない。
【００３７】
なお、全体の領域１２０よりも少し内側に二点鎖線で示す領域は、タッチパネルの下側に設置される液晶パネル等のディスプレイの表示領域を表す。
【００３８】
透明導電膜１２の各々の導電領域の分割は、導電領域となる領域間の透明導電膜１２を除去することにより行われる。これにより、分割された導電領域間では電気的に絶縁することができる。各々の分割された透明導電膜１２は、上部電極基板１０の短手方向の両端に設けられた引出電極部１３における各々の引出電極と接続されており、引出電極部１３は、上部電極基板１０の周囲に配線され、上部電極基板１０の長手方向の一方の端部においてフレキシブル基板１４と接続されている。フレキシブル基板１４の端部には、端子１５が接続されている。端子１５は、座標検出回路５０を含む駆動回路５１（図７参照）に接続される。
【００３９】
また、下部電極基板２０は、図８に示すように下部電極基板２０を構成する４辺の端部において、透明導電膜２２上に矩形環状の電極２３が設けられている。電極２３は、例えば、Ａｇ又はＡｇ−Ｃ製の抵抗膜で構成されており、４つの頂点部ＬＬ、ＬＲ、ＵＬ、ＵＲには、各頂点部の電位を制御するために引出線が接続されている。この引出線は、下部電極基板２０の周囲より引出され、図６に示すように、下部電極基板２０の長手方向の一方の端部においてフレキシブル基板２７に接続され、さらにフレキシブル基板２７には端子２８が接続されている。
【００４０】
フレキシブル基板１４の端子１５とフレキシブル基板２７の端子２８はともに駆動回路５１に接続されており、更に不図示のホストコンピュータに接続されている。尚、透明導電膜１２及び透明導電膜２２を構成する材料としては、ＩＴＯ（Indium Tin Oxide）、ＺｎＯ（酸化亜鉛）にＡｌまたはＧａ等が添加された材料、ＳｎＯ２（酸化スズ）にＳｂ等が添加された材料等が挙げられる。
【００４１】
また、フィルム１１は、ＰＥＴ（ポリエチレンテレフタレート：polyethylene terephthalate）、ＰＣ（ポリカーボネート：Polycarbonate）及び、可視領域において透明の樹脂材料が挙げられる。更に、ガラス基板２１に代えて、樹脂基板を用いてもよい。
【００４２】
実施の形態１のタッチパネルは、上部電極基板１０を指等により押すことにより、上部電極基板１０における透明導電膜１２と、下部電極基板２０における透明導電膜２２とが接触し、接触した位置における電圧を検知することにより、上部電極基板１０と下部電極基板２０との接触位置、即ち、上部電極基板１０が指等により押された位置が特定される。具体的には、上部電極基板１０において、分割された透明導電膜１２の各々について時分割による走査がされており、接触したタイミングにより接触位置が含まれる導電領域を特定することができる。
【００４３】
尚、下部電極基板２０における透明導電膜２２上に設けられた矩形環状の電極２３の頂点部ＬＬ、ＬＲ、ＵＬ、ＵＲに駆動回路５１から印加する電圧を制御することにより、Ｘ軸方向、Ｙ軸方向に交互に電圧が印加されるように構成されている。
【００４４】
このように、上部電極基板１０において透明導電膜１２を分割し導電領域を形成することにより、上部電極基板１０と下部電極基板２０とが接触した接触位置が複数であっても、分割された透明導電膜１２の導電領域毎に接触位置を座標検出回路５０で特定することができるため、各々の接触位置を独立して検出することが可能である。
【００４５】
即ち、図８に示すように、上部電極基板１０における透明導電膜１２と下部電極基板２０における透明導電膜２２との接触位置が、矢印Ａ、Ｂ、Ｃ、Ｄ、Ｅに示すように５つの場合であっても、各々の接触位置は、分割された透明導電膜１２の領域が異なるため、各々独立して接触位置が検出することが可能なのである。具体的には、上部電極基板１０と下部電極基板２０との接触位置が矢印Ａに示す位置である場合、透明導電膜１２の導電領域１２ａにおいて接触しており、接触位置が矢印Ｂに示す位置である場合、透明導電膜１２の導電領域１２ｂにおいて接触しており、接触位置が矢印Ｃに示す位置である場合、透明導電膜１２の導電領域１２ｃにおいて接触しており、接触位置が矢印Ｄに示す位置である場合、透明導電膜１２の導電領域１２ｄにおいて接触しており、接触位置が矢印Ｅに示す位置である場合、透明導電膜１２の導電領域１２ｅにおいて接触しているが、透明導電膜１２の導電領域１２ａ、１２ｂ、１２ｃ、１２ｄ、１２ｅは相互に絶縁された異なる領域であることから、各々を独立して検出することができる。よって、上部電極基板１０と下部電極基板２０との接触位置が５つの場合であっても、各々の接触位置を特定することが可能である。
【００４６】
以上より、透明導電膜１２と透明導電膜２２との接触位置が複数であっても、接触した導電領域を特定することができるとともに、透明導電膜２２における電位分布を検出することにより、より正確に座標位置も検出することが可能である。また、透明導電膜１２と透明導電膜２２との接触位置を移動させた場合においても、接触位置が移動したことを認識することができるとともに、透明導電膜２２における電位分布を検出することにより、移動した接触位置の位置座標を検出することも可能である。
【００４７】
次に、上部電極基板１０における透明導電膜１２の導電領域の分割について説明する。実施の形態１では、図９（ａ）に示すように、透明導電膜１２は、全体の領域１２０のうち左側の３／４の領域１２０Ａが短手方向である縦方向に４分割、長手方向である横方向に６分割されて２４分割されている。全体の領域１２０のうち右側の１／４の領域１２０Ｂ内では、透明導電膜１２は分割されていない。
【００４８】
これら分割された領域は、上側の２段と下側の２段に分けられている。図５に示すように、上側の２段は上端となる短手方向（縦方向）の一方の端部において、引出電極部１３における各々の引出電極と接続されており、下側の２段は下端となる短手方向（縦方向）の他方の端部において、引出電極部１３における各々の引出電極と接続されている。尚、実施の形態１のタッチパネルは、各々の導電領域が長方形状又は正方形状に形成されており、主に指により操作するものであるため、複数の導電領域うち、最も大きな導電領域における長辺又は一辺の長さは、２５ｍｍ以下であることが好ましく、より好ましくは２０ｍｍ以下である。これは、指の太さに基づくものであり、指先と指先とにより複数の接触位置において接触する場合においても、一辺の長さが指先と指先との間隔よりも短ければ、各々の接触位置を独立して検出することが可能であるからである。このため、人間の指先と指先との間隔及び快適となる操作性等を基準として、導電領域の一辺の長さの範囲を定めることができる。また、あまり小さいと後述する引出部の領域が増加し、機能上支障をきたすため、上記観点を踏まえた場合、複数の導電領域うち、最も小さな導電領域における短辺又は一辺の長さは、５ｍｍ以上が好ましく、より好ましくは７ｍｍ以上である。
【００４９】
尚、透明導電膜１２において各々の導電領域は、各々の導電領域の周辺部に沿って透明導電膜１２を除去することにより形成する。これにより、隣接する導電領域との間において絶縁性を保つことが可能である。
【００５０】
透明導電膜１２を除去する方法としては、透明導電膜１２が除去される領域にレーザ光を照射し、レーザ光の照射された部分の透明導電膜１２を熱又はアブレーションにより除去する方法、透明導電膜１２上にフォトレジストを塗布し、露光装置により露光、現像を行うことにより導電領域となる領域上にレジストパターンを形成し、ドライエッチング又はウエットエッジングを行うことにより、レジストパターンの形成されていない領域の透明導電膜１２を除去する方法、更には、透明導電膜１２が除去される領域上にエッチングペーストを印刷等し除去する方法等が挙げられる。好ましくは、レーザ光の照射により透明導電膜１２を除去する方法が好ましい。
【００５１】
尚、導電領域を形成するために除去される透明導電膜１２の幅は、１ｍｍ以下であることが好ましい。タッチパネルにおいては、形成される導電領域の幅が広くなると、検出不能領域が多くなってしまい、タッチパネルとしての機能を十分に発揮することができない。よって、タッチパネルに接触が想定されるものが指またはペン等であり、ペン等の先端は半径０．８ｍｍ程度であることから、透明導電膜１２が除去される領域の幅が１ｍｍ以下であれば、タッチパネルとしての機能に支障をきたさないものと考えられるからである。実施の形態１では、よりタッチパネルの視認性を高めるとともに、機能を高めるため透明導電膜１２が除去される領域の幅は約１００μｍで形成されている。
【００５２】
実施の形態１のタッチパネルでは、上部電極基板１０における透明導電膜１２において、導電領域１２１と導電領域１２２からなる導電領域のパターンを反転させたパターンが上側にも形成されており、縦方向に並ぶ４つの導電領域のパターンと同様のパターンが横方向に８列形成されている。
【００５３】
図９（ａ）において、破線で囲まれた領域の拡大図を図９（ｂ）に示す。図９（ｂ）に示されるように、透明導電膜１２の下側において２つに分割されたうちの一方を導電領域１２１、他方を導電領域１２２とした場合、他方の導電領域１２２は、上部電極基板１０の長手方向に沿った四辺の１つの辺と接しており、一方の導電領域１２１は、上部電極基板１０の四辺のうち長手方向に沿った辺とは接していない。このため、一方の導電領域１２１の領域部１２１ａから、上部電極基板１０の長手方向に沿った辺の端まで延びる引出部１２１ｂを形成し、更に、この辺の端に接する接続部１２１ｃを形成する。尚、この引出部１２１ｂは、上部電極基板１０の長手方向に沿った辺と接する２つの導電領域の間に形成されるものである。即ち、導電領域１２２と、導電領域１２２に隣接する辺と接する導電領域の間に形成されるものである。よって、本来は導電領域１２２となる領域に形成されるものである。このため、接触位置の誤認識を防ぐためにも、引出部１２１ｂはできるだけ細く形成することが好ましい。
【００５４】
これにより、一方の導電領域１２１は、接続部１２１ｃにおいて引出電極１３１と接続することができ、他方の導電領域１２２は、導電領域１２２における上部電極基板１０の辺の端部の近傍において引出電極１３２と接続することができる。
【００５５】
導電領域１２１の接続部１２１ｃと引出電極１３１とは、接続部１２１ｃ上に銀ペーストを形成し接続する。同様に、導電領域１２２と引出電極１３２とは、上部電極基板１０の辺の端部の導電領域１２２上に銀ペーストを形成し接続する。尚、引出電極１３１及び１３２が複数集まることにより、図５に示す引出電極部１３が形成される。
【００５６】
以上のように、実施の形態１のタッチパネルでは、透明導電膜１２の全体の領域１２０のうち左側の３／４の領域１２０Ａが縦方向に４分割、横方向に６分割されて２４分割され、透明導電膜１２の全体の領域１２０のうち右側の１／４の領域１２０Ｂは分割されておらず１つの領域となっている。
【００５７】
すなわち、実施の形態１のタッチパネルの透明導電膜１２は、左側の３／４の領域１２０Ａが２４分割された２４個の領域と、右側の１／４の１つの領域１２０Ｂとの２５個の領域を含む。
【００５８】
実施の形態１のタッチパネルは、上部電極基板１０において、透明導電膜１２に含まれる２５個の領域について時分割による走査を行うため、接触したタイミングにより接触位置が含まれる導電領域（２５個の領域のいずれかの領域）を特定することができる。
【００５９】
具体的には、例えば、図９に示す透明導電膜１２では、領域１２０Ａ内の２４分割された２４個の領域の各々と、非分割の領域１２０Ｂとの２５個の領域の各々を順番に選択して走査を行う時分割による走査を行うことにより、接触位置がいずれの領域に含まれるかを特定し、接触のあった位置の座標を特定することができる。
【００６０】
また、上述のように透明導電膜１２を２５分割した導電領域を形成することにより、上部電極基板１０と下部電極基板２０とが接触した接触位置が複数であっても、分割された透明導電膜１２の導電領域毎に接触位置を特定することができる。
【００６１】
このため、複数箇所にタッチが行われた場合でも、各々の接触位置を独立して検出することが可能である。
【００６２】
このため、例えば、実施の形態１のタッチパネルをスマートフォンのような携帯端末機に実装する場合に、分割した領域１２０Ａと非分割の領域１２０Ｂの下に液晶パネル等のディスプレイを設置することができる。
【００６３】
その際には、例えば、分割した領域１２０Ａ内に、携帯端末機のメモリに格納したデータ（例えば、連絡先のリストや写真等）やネットワークを通じてダウンロードしたデータを表示し、非分割の領域１２０Ｂ内に、ＧＵＩ（Graphical User Interface）によるボタン等を設置すればよい。
【００６４】
携帯端末機のメモリに格納したデータ（例えば、連絡先のリストや写真等）やネットワークを通じてダウンロードしたデータは、例えば、携帯端末機の利用者がスクロールしたり拡大したりしながら見ることができると便利である。
【００６５】
このため、複数の接触位置における利用者の入力を受け付けることのできる領域１２０Ａ内にこれらのデータを表示すれば、利用者が領域１２０Ａ内でデータのスクロールや拡大等の操作を行うことができる。
【００６６】
また、同時に複数の入力が行われないような操作については、非分割の領域１２０Ｂ内にＧＵＩによるボタン（以下、ＧＵＩボタンと称す）を表示し、ＧＵＩボタンで入力を受け付けるようにすればよい。
【００６７】
以上のように領域１２０Ａと領域１２０Ｂを使い分ければ、すべての領域（１２０Ａと１２０Ｂの合計の領域）を分割しなくても、利用者にとって利便性の高いタッチパネルを提供することができる。
【００６８】
＜実施の形態２＞
実施の形態２のタッチパネルは、上部電極基板の透明導電膜を分割せずに、下部電極基板の透明導電膜を分割する点が実施の形態１と異なる。
【００６９】
図１０（Ａ）、（Ｂ）は、それぞれ、実施の形態２のタッチパネルの上部電極基板と下部電極基板を示す図である。
【００７０】
図１０（Ａ）に示すように、実施の形態２のタッチパネルの上部電極基板２１０の透明導電膜２１２は、分割されておらず、下部電極基板２２０を構成する４辺の端部において、透明導電膜２２２上に矩形環状の電極２２３が設けられている。電極２２３は、例えば、Ａｇ又はＡｇ−Ｃ製の抵抗膜で構成されており、４つの頂点部ＬＬ、ＬＲ、ＵＬ、ＵＲには、各頂点部の電位を制御するために引出線が接続されている。
【００７１】
図１０（Ｂ）に示すように、下部電極基板２２０の透明導電膜２２２は、実施の形態１の上部電極基板１０の透明導電膜１２と同様に、２５個の領域に分割されている。
【００７２】
透明導電膜２２２の２５個に分割された各領域は、下部電極基板２２０の周囲の配線を介して、下部電極基板２２０の長手方向の一方の端部においてフレキシブル基板２２４と接続されている。フレキシブル基板２２４の端部には、端子２２５が接続されている。
【００７３】
以上のような実施の形態２のタッチパネルにおいても、実施の形態１のタッチパネルと同様に、２５個の領域の各々において利用者の接触を検出することができる。また、実施の形態１のタッチパネルと同様に、複数の領域に対して同時に入力が行われた場合にも、複数の領域の各々における接触位置を検出することができる。
【００７４】
このため、実施の形態２によれば、実施の形態１と同様に、利用者にとって利便性の高いタッチパネルを提供することができる。
【００７５】
＜実施の形態３＞
実施の形態３のタッチパネルは、上部電極基板の透明導電膜の分割の仕方が実施の形態１と異なる。
【００７６】
図１１は、実施の形態３のタッチパネルの上部電極基板を示す図である。
【００７７】
実施の形態３のタッチパネルの上部電極基板３１０の透明導電膜３１２は、左側１／４の領域３１２Ａが短辺に沿って４分割されており、右側３／４の領域３１１Ｂが非分割の１つの領域として構成されている。
【００７８】
実施の形態３のタッチパネルの上部電極基板３１０は、実施の形態１の下部電極基板２０と同一の下部電極基板２０（図６参照）に対向して配置される。
【００７９】
このため、領域３１２Ａ内の４個の領域の各々と、非分割の領域３１２Ｂとの５個の領域の各々を順番に選択して走査を行う時分割による走査を行うことにより、接触位置がいずれの領域に含まれるかを特定し、接触のあった位置の座標を特定することができる。
【００８０】
また、上部電極基板３１０と下部電極基板２０とが接触した接触位置が複数であっても、分割された透明導電膜３１２の導電領域毎に接触位置を特定することができる。
【００８１】
このため、複数箇所にタッチが行われた場合でも、各々の接触位置を独立して検出することが可能である。
【００８２】
このため、例えば、実施の形態３のタッチパネルをスマートフォンのような携帯端末機に実装する場合に、分割した領域３１２Ａと非分割の領域３２０Ｂの下に液晶パネル等のディスプレイを設置し、分割した領域３１２Ａ内に、携帯端末機のメモリに格納したデータ（例えば、連絡先のリストや写真等）やネットワークを通じてダウンロードしたデータを表示し、非分割の領域３１２Ｂ内に、ＧＵＩによるボタン等を設置すればよい。
【００８３】
以上のように領域３１２Ａと領域３１２Ｂを使い分ければ、すべての領域（３１２Ａと３１２Ｂの合計の領域）を分割しなくても、利用者にとって利便性の高いタッチパネルを提供することができる。
【００８４】
＜実施の形態４＞
実施の形態４のタッチパネルは、上部電極基板の透明導電膜の分割の仕方が実施の形態１と異なる。
【００８５】
図１２は、実施の形態４のタッチパネルの上部電極基板を示す図である。
【００８６】
実施の形態４のタッチパネルの上部電極基板４１０の透明導電膜４１２は、中心Ｏから放射状に１４分割された領域４１２Ａ〜４１２Ｎを含む。領域４１２Ａ〜４１２Ｎは、引出電極部１３を通じてフレキシブル基板１４及び端子１５（図５参照）に接続されている。
【００８７】
透明導電膜４１２を中心Ｏから放射状に分割したのは、一般的に、タッチパネルの周囲の部分よりも中央寄りの部分の方が複数の位置に接触による入力が行われる可能性が高いと考えられるからである。
【００８８】
実施の形態４のタッチパネルの上部電極基板４１０は、実施の形態１の下部電極基板２０と同一の下部電極基板２０（図６参照）に対向して配置される。
【００８９】
このため、領域４１２Ａ〜４１２Ｎの各々を順番に選択して走査を行う時分割による走査を行うことにより、接触位置がいずれの領域に含まれるかを特定し、接触のあった位置の座標を特定することができる。
【００９０】
また、上部電極基板４１０と下部電極基板２０とが接触した接触位置が複数であっても、分割された透明導電膜４１２の導電領域（４１２Ａ〜４１２Ｎ）毎に接触位置を特定することができる。
【００９１】
このため、複数箇所にタッチが行われた場合でも、各々の接触位置を独立して検出することが可能である。
【００９２】
例えば、実施の形態４のタッチパネルをスマートフォンのような携帯端末機に実装する場合に、領域４１２Ａ〜４１２Ｎの下に液晶パネル等のディスプレイを設置し、領域４１２Ａ〜４１２Ｎ内に、携帯端末機のメモリに格納したデータ（例えば、連絡先のリストや写真等）やネットワークを通じてダウンロードしたデータを表示すれば、複数箇所に接触による入力を独立して検出することのできる利便性の高いタッチパネルを提供することができる。
【００９３】
特に、実施の形態４のタッチパネルは、透明導電膜４１２を中心Ｏから放射状に分割したので、分割数を少なくすることができ、製造工程を簡略化することができる。
【００９４】
＜実施の形態５＞
実施の形態５のタッチパネルは、上部電極基板の透明導電膜の分割の仕方が実施の形態４と異なる。
【００９５】
図１３は、実施の形態５のタッチパネルの上部電極基板を示す図である。
【００９６】
実施の形態５のタッチパネルの上部電極基板５１０の透明導電膜５１２は、全領域のうちの左半分の領域５１２Ｌ内において中心Ｏから放射状に８分割された領域５１２Ａ〜５１２Ｈと、全領域のうちの右半分の領域５１２Ｒとを含む。すなわち、透明電極５１２は、領域５１２Ａ〜５１２Ｈと領域５１２Ｒとの９個の領域を含む。
【００９７】
領域５１２Ａ〜５１２Ｈ、５１２Ｒは、それぞれ、引出電極部１３を通じてフレキシブル基板１４及び端子１５（図５参照）に接続されている。
【００９８】
実施の形態５のタッチパネルの上部電極基板５１０は、実施の形態１の下部電極基板２０と同一の下部電極基板２０（図６参照）に対向して配置される。
【００９９】
このため、領域５１２Ａ〜５１２Ｈ、５１２Ｒの各々を順番に選択して走査を行う時分割による走査を行うことにより、接触位置がいずれの領域に含まれるかを特定し、接触のあった位置の座標を特定することができる。
【０１００】
また、上部電極基板５１０と下部電極基板２０とが接触した接触位置が複数であっても、分割された透明導電膜５１２の導電領域（５１２Ａ〜５１２Ｈ、５１２Ｒ）毎に接触位置を特定することができる。
【０１０１】
従って、複数箇所にタッチが行われた場合でも、各々の接触位置を独立して検出することが可能である。
【０１０２】
例えば、実施の形態５のタッチパネルをスマートフォンのような携帯端末機に実装する場合に、８分割した領域５１２Ｌと非分割の領域５１２Ｒの下に液晶パネル等のディスプレイを設置し、８分割した領域５１２Ｌ内に、携帯端末機のメモリに格納したデータ（例えば、連絡先のリストや写真等）やネットワークを通じてダウンロードしたデータを表示し、非分割の領域５１２Ｒ内に、ＧＵＩによるボタン等を設置すればよい。
【０１０３】
以上のように領域５１２Ｌと領域５１２Ｒを使い分ければ、すべての領域（５１２Ｌと５１２Ｒの合計の領域）を分割しなくても、利用者にとって利便性の高いタッチパネルを提供することができる。
【０１０４】
また、実施の形態５のタッチパネルは、透明導電膜５１２の左半分を中心Ｏから放射状に分割したので、分割数を少なくすることができ、製造工程を簡略化することができる。
【０１０５】
＜実施の形態６＞
実施の形態６のタッチパネルは、上部電極基板の透明導電膜の分割の仕方が実施の形態４と異なる。
【０１０６】
図１４は、実施の形態６のタッチパネルの上部電極基板を示す図である。
【０１０７】
実施の形態６のタッチパネルの上部電極基板６１０の透明導電膜６１２は、四隅のうちの１つ（ＬＲ）から放射状に７分割された領域６１２Ａ〜６１２Ｇを含む。領域６１２Ａ〜６１２Ｇは、引出電極部１３を通じてフレキシブル基板１４及び端子１５（図５参照）に接続されている。
【０１０８】
このように、透明導電膜６１２を四隅のうちの１つ（ＬＲ）から放射状に分割したのは、例えば、四隅のうちの１つ（ＬＲ）に近い領域において、複数の位置への接触による入力が行われる用途に対応したものである。このため、図１４には四隅のうちの１つ（ＬＲ：図中の右下）から放射状に分割した透明導電膜６１２を示すが、用途に応じて他の隅から放射状に分割するように形状を変更してもよい。
【０１０９】
実施の形態４のタッチパネルの上部電極基板６１０は、実施の形態１の下部電極基板２０と同一の下部電極基板２０（図６参照）に対向して配置される。
【０１１０】
このため、領域６１２Ａ〜６１２Ｇの各々を順番に選択して走査を行う時分割による走査を行うことにより、接触位置がいずれの領域に含まれるかを特定し、接触のあった位置の座標を特定することができる。
【０１１１】
また、上部電極基板６１０と下部電極基板２０とが接触した接触位置が複数であっても、分割された透明導電膜６１２の導電領域（６１２Ａ〜６１２Ｇ）毎に接触位置を特定することができる。
【０１１２】
このため、複数箇所にタッチが行われた場合でも、各々の接触位置を独立して検出することが可能である。
【０１１３】
例えば、実施の形態６のタッチパネルをスマートフォンのような携帯端末機に実装する場合に、領域６１２Ａ〜６１２Ｇの下に液晶パネル等のディスプレイを設置し、領域６１２Ａ〜６１２Ｇ内に、携帯端末機のメモリに格納したデータ（例えば、連絡先のリストや写真等）やネットワークを通じてダウンロードしたデータを表示すれば、複数箇所に接触による入力を独立して検出することのできる利便性の高いタッチパネルを提供することができる。
【０１１４】
特に、実施の形態６のタッチパネルは、透明導電膜６１２を四隅のうちの１つ（ＬＲ）から放射状に分割したので、分割数を少なくすることができ、製造工程を簡略化することができる。
【０１１５】
＜実施の形態７＞
実施の形態７のタッチパネルは、上部電極基板の透明導電膜の分割の仕方が実施の形態４と異なる。
【０１１６】
図１５は、実施の形態７のタッチパネルの上部電極基板を示す図である。
【０１１７】
実施の形態７のタッチパネルの上部電極基板７１０の透明導電膜７１２は、矩形状の透明導電膜７１２の中心Ｏを含む中央部７１２Ａと、中央部７１２Ａを除いた周囲部７１２Ｂとを含む。中央部７１２Ａは、引出部７１２Ｃを介して、図中左側の短辺に引き出されている。なお、引出部７１２Ｃの幅（引出方向に対する幅）は、約１ｍｍ程度にすることが望ましい。引出部７１２Ｃの幅が広いと、引出部７１２Ｃで位置検出が行われてしまい、周囲部７１２Ｂのうちの引出部７１２Ｃに近い領域において、操作性が低下するのを防止するために、引出部７１２Ｃにおける位置検出の感度を低下させるためである。
【０１１８】
中央部７１２Ａ、周囲部７１２Ｂは、引出電極部１３を通じてフレキシブル基板１４及び端子１５（図５参照）に接続されている。
【０１１９】
実施の形態７のタッチパネルの上部電極基板７１０は、実施の形態１の下部電極基板２０と同一の下部電極基板２０（図６参照）に対向して配置される。
【０１２０】
このため、中央部７１２Ａ、周囲部Ｂ７１２の各々を順番に選択して走査を行う時分割による走査を行うことにより、接触位置がいずれの領域に含まれるかを特定し、接触のあった位置の座標を特定することができる。
【０１２１】
また、上部電極基板７１０と下部電極基板２０とが接触した接触位置が複数であっても、分割された透明導電膜７１２の導電領域（７１２Ａ、７１２Ｂ）毎に接触位置を特定することができる。
【０１２２】
このため、複数箇所にタッチが行われた場合でも、各々の接触位置を独立して検出することが可能である。
【０１２３】
特に、中央部７１２Ａは透明導電膜７１２の中心Ｏを含む中央寄りに位置しているので、実施の形態７のタッチパネルは、例えば、利用者が一本の指（例えば親指）を中央部７１２Ａに接触させるとともに、周囲部７１２Ｂに他の指（例えば人差し指）を接触させ、中央部７１２Ａに接触させた指を軸として、周囲部７１２Ｂに接触させた他の指を回転させるような動作に適している。
【０１２４】
例えば、実施の形態７のタッチパネルをスマートフォンのような携帯端末機に実装する場合に、領域７１２Ａ、７１２Ｂ、７１２Ｃの下に液晶パネル等のディスプレイを設置し、領域７１２Ａ、７１２Ｂ、７１２Ｃ内に、携帯端末機のメモリに格納したデータ（例えば、連絡先のリストや写真等）やネットワークを通じてダウンロードしたデータを表示すれば、複数箇所に接触による入力を独立して検出することのできる利便性の高いタッチパネルを提供することができる。
【０１２５】
＜実施の形態８＞
図１６は実施の形態８のタッチパネルの上部電極基板の構造図であり、図１７は実施の形態８のタッチパネルの下部電極基板における構造図であり、図１８は実施の形態８のタッチパネルの断面図であり、図１９は実施の形態８のタッチパネルの説明図である。
【０１２６】
実施の形態８のタッチパネル８００は、上部電極基板８１０に形成される透明導電膜８１２を縦４行×横８列に分割した点と、平面視で外側に位置する導電領域と座標検出回路５０との間の抵抗値と、平面視で内側に位置する導電領域と座標検出回路５０との間の抵抗値とを等しくした点が実施の形態１乃至７のタッチパネルと異なる。
【０１２７】
その他の構成は実施の形態１乃至７のタッチパネルと同様であるため、同様の構成要素には同一符号を付す。
【０１２８】
実施の形態８のタッチパネル８００は、フィルム８１１の一方の面に透明導電膜８１２が形成された略長方形状の上部電極基板８１０と、上部電極基板８１０と略同じ形状のガラス基板８２１の一方の面に透明導電膜８２２が形成された下部電極基板８２０とを含む。
【０１２９】
また、タッチパネル８００は、座標検出回路５０を有する駆動回路５１をさらに含む。
【０１３０】
上部電極基板８１０と下部電極基板８２０とは、上部電極基板８１０における透明導電膜８１２と下部電極基板８２０における透明導電膜８２２とが対向するように、スペーサ３１等を介し、接着剤または両面テープにより接合されている。
【０１３１】
上部電極基板８１０における透明導電膜８１２は、短手方向である縦方向に４分割、長手方向である横方向に８分割されて３２分割されている。
【０１３２】
なお、引出電極部８１３よりも少し内側に二点鎖線で示す領域は、タッチパネルの下側に設置される液晶パネル等のディスプレイの表示領域を表す。
【０１３３】
透明導電膜８１２の各々の導電領域の分割は、導電領域となる領域間の透明導電膜８１２を除去することにより行われる。これにより、分割された導電領域間では電気的に絶縁することができる。各々の分割された透明導電膜８１２は、上部電極基板８１０の短手方向の両端に設けられた引出電極部８１３における各々の引出電極と接続されており、引出電極部８１３は、上部電極基板８１０の周囲に配線され、上部電極基板８１０の長手方向の一方の端部においてフレキシブル基板１４と接続されている。フレキシブル基板１４の端部には、端子１５が接続されている。端子１５は、座標検出回路５０を含む駆動回路５１（図１８参照）に接続される。
【０１３４】
また、下部電極基板８２０は、図１９に示すように下部電極基板８２０を構成する４辺の端部において、透明導電膜８２２上に矩形環状の電極８２３が設けられている。電極８２３は、例えば、Ａｇ又はＡｇ−Ｃ製の抵抗膜で構成されており、４つの頂点部ＬＬ、ＬＲ、ＵＬ、ＵＲには、各頂点部の電位を制御するために引出線が接続されている。この引出線は、下部電極基板８２０の周囲より引出され、図１７に示すように、下部電極基板８２０の長手方向の一方の端部においてフレキシブル基板２７に接続され、さらにフレキシブル基板２７には端子２８が接続されている。
【０１３５】
フレキシブル基板１４の端子１５とフレキシブル基板２７の端子２８はともに駆動回路５１に接続されており、更に不図示のホストコンピュータに接続されている。尚、透明導電膜８１２及び透明導電膜８２２を構成する材料としては、ＩＴＯ（Indium Tin Oxide）、ＺｎＯ（酸化亜鉛）にＡｌまたはＧａ等が添加された材料、ＳｎＯ２（酸化スズ）にＳｂ等が添加された材料等が挙げられる。
【０１３６】
また、フィルム８１１は、ＰＥＴ（ポリエチレンテレフタレート：polyethylene terephthalate）、ＰＣ（ポリカーボネート：Polycarbonate）及び、可視領域において透明の樹脂材料が挙げられる。更に、ガラス基板８２１に代えて、樹脂基板を用いてもよい。
【０１３７】
実施の形態８のタッチパネルは、上部電極基板８１０を指等により押すことにより、上部電極基板８１０における透明導電膜８１２と、下部電極基板８２０における透明導電膜８２２とが接触し、接触した位置における電圧を検知することにより、上部電極基板８１０と下部電極基板８２０との接触位置、即ち、上部電極基板８１０が指等により押された位置が特定される。具体的には、上部電極基板８１０において、分割された透明導電膜８１２の各々について時分割による走査がされており、接触したタイミングにより接触位置が含まれる導電領域を特定することができる。
【０１３８】
尚、下部電極基板８２０における透明導電膜８２２上に設けられた矩形環状の電極８２３の頂点部ＬＬ、ＬＲ、ＵＬ、ＵＲに駆動回路５１から印加する電圧を制御することにより、Ｘ軸方向、Ｙ軸方向に交互に電圧が印加されるように構成されている。
【０１３９】
このように、上部電極基板８１０において透明導電膜８１２を分割し導電領域を形成することにより、上部電極基板８１０と下部電極基板８２０とが接触した接触位置が複数であっても、分割された透明導電膜８１２の導電領域毎に接触位置を座標検出回路５０で特定することができるため、各々の接触位置を独立して検出することが可能である。
【０１４０】
即ち、図１９に示すように、上部電極基板８１０における透明導電膜８１２と下部電極基板８２０における透明導電膜８２２との接触位置が、矢印Ａ、Ｂ、Ｃ、Ｄ、Ｅに示すように５つの場合であっても、各々の接触位置は、分割された透明導電膜８１２の領域が異なるため、各々独立して接触位置が検出することが可能なのである。具体的には、上部電極基板８１０と下部電極基板８２０との接触位置が矢印Ａに示す位置である場合、透明導電膜８１２の導電領域８１２ａにおいて接触しており、接触位置が矢印Ｂに示す位置である場合、透明導電膜８１２の導電領域８１２ｂにおいて接触しており、接触位置が矢印Ｃに示す位置である場合、透明導電膜８１２の導電領域８１２ｃにおいて接触しており、接触位置が矢印Ｄに示す位置である場合、透明導電膜８１２の導電領域８１２ｄにおいて接触しており、接触位置が矢印Ｅに示す位置である場合、透明導電膜８１２の導電領域８１２ｅにおいて接触しているが、透明導電膜８１２の導電領域８１２ａ、８１２ｂ、８１２ｃ、８１２ｄ、８１２ｅは相互に絶縁された異なる領域であることから、各々を独立して検出することができる。よって、上部電極基板８１０と下部電極基板８２０との接触位置が５つの場合であっても、各々の接触位置を特定することが可能である。
【０１４１】
以上より、透明導電膜８１２と透明導電膜８２２との接触位置が複数であっても、接触した導電領域を特定することができるとともに、透明導電膜８２２における電位分布を検出することにより、より正確に座標位置も検出することが可能である。また、透明導電膜８１２と透明導電膜８２２との接触位置を移動させた場合においても、接触位置が移動したことを認識することができるとともに、透明導電膜８２２における電位分布を検出することにより、移動した接触位置の位置座標を検出することも可能である。
【０１４２】
図２０は、実施の形態８のタッチパネル８００の上部電極基板８１０の透明導電膜８１２の一部分（図１６に４行８列示すうちの３列分）と引出電極部８１３を示す図である。説明の便宜上、図２０には３列分の１２個の導電領域を示すが、ここでは、図１６に示すように３２個の導電領域が透明導電膜８１２に形成されているものとして説明を行う。
【０１４３】
透明導電膜８１２に形成される複数の導電領域は、平面視で外側に位置する１６個の導電領域８２１と、平面視で内側に位置する１６個の導電領域８２２とに分けられる。
【０１４４】
導電領域８２１は、上部電極基板８１０の長手方向に沿った二辺のうちの一辺と接しており、導電領域８２２は、上部電極基板８１０の四辺のうち長手方向に沿った辺とは接していない。このため、引出電極部８１３との位置関係では、導電領域８２１は平面視で外側に位置しており、導電領域８２２は平面視で内側に位置している。
【０１４５】
導電領域８２２の領域部８２２ａから、上部電極基板８１０の長手方向に沿った辺の端まで延びる引出部８２２ｂを形成し、更に、この辺の端に接する接続部８２２ｃを形成する。引出部８２２ｂは、上部電極基板８１０の長手方向に沿った辺と接する２つの導電領域８２１の間に形成されるものである。このため、接触位置の誤認識を防ぐためにも、引出部８２２ｂはできるだけ細く形成することが好ましい。
【０１４６】
また、導電領域８２１は、領域部８２１ａ及び迂回部８２１ｂを有する。迂回部８２１ｂは、引出電極部８１３Ａと接続するための接続部であり、切り込み部８２１ｃ、８２１ｄを形成することによってコの字型に迂回している。迂回部８２１ｂは、線路長を長くするとともに線路幅を細くして抵抗値を増大させてある。
【０１４７】
このようにして、タッチパネル８００の透明導電膜８１２は、平面視で外側に位置する導電領域８２１と座標検出回路５０との間の抵抗値と、平面視で内側に位置する導電領域８２２と座標検出回路５０との間の抵抗値とが等しくなるように構成されている。
【０１４８】
なお、導電領域８２１は実際には図１６に示すように８列形成されており、各導電領域８２１と、端子１５との間を接続する引出電極部８１３Ａの長さは異なる。このため、引出電極部８１３Ａの長さによる抵抗値の違いが問題になる場合は、引出電極部８１３Ａの長さが長い導電領域８２１ほど迂回部８２１ｂの抵抗値を小さくし、引出電極部８１３Ａの長さが短い導電領域８２１ほど迂回部８２１ｂの抵抗値を大きくしてもよい。このようにすれば、引出電極部８１３Ａの長さの違いによる抵抗値の違いを相殺することができる。
【０１４９】
迂回部８２１ｂを含まない場合は、平面視で外側に位置する導電領域８２１と座標検出回路５０との間の抵抗値と、平面視で内側に位置する導電領域８２２と座標検出回路５０との間の抵抗値とが異なる。例えば、迂回部８２１ｂを含まない場合は、導電領域８２１と座標検出回路５０との間の抵抗値は、導電領域８２２と座標検出回路５０との間の抵抗値よりも、数百Ωから数キロΩ小さい。
【０１５０】
このため、迂回部８２１ｂを含まない場合は、導電領域８２２から座標検出回路５０に入力される信号の波形は、導電領域８２１からから座標検出回路５０に入力される信号の波形に比べて鈍る。
【０１５１】
従って、迂回部８２１ｂを含まない場合は、駆動回路５１内のノイズフィルタ等を導電領域８２１と導電領域８２２とで別々に用意する必要があり、ノイズフィルタ等の回路点数が増える。
【０１５２】
これに対して、実施の形態８によれば、平面視で外側に位置する導電領域８２１と座標検出回路５０との間の抵抗値と、平面視で内側に位置する導電領域８２２と座標検出回路５０との間の抵抗値とが等しいため、導電領域８２１と導電領域８２２とに接続されるフィルタ回路等を共通化でき、回路の簡素化を図ることができる。
【０１５３】
なお、ここでは、迂回部８２１ｂを形成することにより、平面視で外側に位置する導電領域８２１と座標検出回路５０との間の抵抗値と、平面視で内側に位置する導電領域８２２と座標検出回路５０との間の抵抗値とを等しくする形態について説明した。
【０１５４】
しかしながら、抵抗値の調整はこのような手法に限定されない。例えば、迂回部８２１ｂを形成する代わりに、あるいは、迂回部８２１ｂに加えて、引出電極部８１３Ａの抵抗値を引出電極部８１３Ｂの抵抗値よりも高く設定することにより、平面視で外側に位置する導電領域８２１と座標検出回路５０との間の抵抗値と、平面視で内側に位置する導電領域８２２と座標検出回路５０との間の抵抗値とを等しくしてもよい。
【０１５５】
引出電極部８１３Ａと引出電極部８１３Ｂは、例えば、銀ペーストを印刷することによって形成されるため、引出電極部８１３Ａを印刷する工程と、引出電極部８１３Ｂを印刷する工程を別々の工程にし、引出電極部８１３Ａを形成する銀ペーストとして、引出電極部８１３Ｂを形成する銀ペーストよりも抵抗値の高いものを選べばよい。
【０１５６】
なお、引出電極部８１３Ａの長さによる抵抗値の違いが問題になる場合は、例えば、引出電極部８１３Ａの長さが長いほど引出電極部８１３Ａを形成する銀ペーストの抵抗率を小さくし、引出電極部８１３Ａの長さが短いほど引出電極部８１３Ｂを形成する銀ペーストの抵抗値を大きくしてもよい。
【０１５７】
また、導電領域８２１に接続される引出電極部８１３Ｂについても同様に抵抗値の調整を行ってもよい。
【０１５８】
また、抵抗値の調整は、図２１に示すように、導電領域８２１に接続される引出電極部８１３Ａの線幅を、導電領域８２２に接続される引出電極部８１３Ｂよりも細くすることによって行ってもよい。図２１に示すように引出電極部８１３Ａ、８１３Ｂの線幅による抵抗値の調整は、迂回部８２１ｂを形成する代わりに、あるいは、迂回部８２１ｂに加えて行えばよい。
【０１５９】
このうち、迂回部８２１ｂを形成する代わりに行う場合は、導電領域８２１が迂回部８２１ｂを含まずに、引出電極部８１３Ａの線幅を、導電領域８２２に接続される引出電極部８１３Ｂよりも細くすることにより、平面視で外側に位置する導電領域８２１と座標検出回路５０との間の抵抗値と、平面視で内側に位置する導電領域８２２と座標検出回路５０との間の抵抗値とを等しくすればよい。
【０１６０】
なお、引出電極部８１３Ａの長さによる抵抗値の違いが問題になる場合は、例えば、引出電極部８１３Ａの長さが長いほど引出電極部８１３Ａの線幅を広くし、引出電極部８１３Ａの長さが短いほど引出電極部８１３Ｂの線幅の狭くしてもよい。
【０１６１】
また、導電領域８２１に接続される引出電極部８１３Ｂについても同様に抵抗値の調整を行ってもよい。
【０１６２】
また、抵抗値の調整は、図２２に示すように、導電領域８２１に接続される引出電極部８１３Ａに迂回部８１３Ｃを挿入することによって行ってもよい。
【０１６３】
図２２に示すように引出電極部８１３Ａに迂回部８１３Ｃを挿入することによる抵抗値の調整は、迂回部８２１ｂを形成する代わりに、あるいは、迂回部８２１ｂに加えて行えばよい。
【０１６４】
このうち、迂回部８２１ｂを形成する代わりに行う場合は、導電領域８２１が迂回部８２１ｂを含まずに、引出電極部８１３Ａに迂回部８１３Ｃを挿入することにより、平面視で外側に位置する導電領域８２１と座標検出回路５０との間の抵抗値と、平面視で内側に位置する導電領域８２２と座標検出回路５０との間の抵抗値とを等しくすればよい。
【０１６５】
なお、引出電極部８１３Ａの長さによる抵抗値の違いが問題になる場合は、例えば、引出電極部８１３Ａの長さが長いほど迂回部８１３Ｃの抵抗値を小さくし、引出電極部８１３Ａの長さが短いほど迂回部８１３Ｃの抵抗値を大きくしてもよい。
【０１６６】
また、導電領域８２１に接続される引出電極部８１３Ｂについても同様に抵抗値の調整を行ってもよい。
【０１６７】
また、抵抗値の調整は、図２３に示すように、端子１５の配線部分に抵抗器１５Ｃを挿入することによって行ってもよい。図２３（Ａ）は実施の形態８の変形例によるタッチパネルの上部電極基板の構造図であり、図２３（Ｂ）は図２３（Ａ）の端子１５を拡大して示す図である。
【０１６８】
図２３に示す配線１５Ａは導電領域８２１に接続されており、配線１５Ｂは導電領域８２２に接続されている。配線１５Ａには、抵抗調整用の抵抗器１５Ｃが挿入されている。
【０１６９】
図２３に示すように端子１５の配線部分に抵抗器１５Ｃを挿入することによる抵抗値の調整は、迂回部８２１ｂを形成する代わりに、あるいは、迂回部８２１ｂに加えて行えばよい。
【０１７０】
このうち、迂回部８２１ｂを形成する代わりに行う場合は、導電領域８２１が迂回部８２１ｂを含まずに、端子１５の配線部分に抵抗器１５Ｃを挿入することにより、平面視で外側に位置する導電領域８２１と座標検出回路５０との間の抵抗値と、平面視で内側に位置する導電領域８２２と座標検出回路５０との間の抵抗値とを等しくすればよい。
【０１７１】
なお、引出電極部８１３Ａの長さによる抵抗値の違いが問題になる場合は、例えば、引出電極部８１３Ａの長さが長いほど抵抗器１５Ｃの抵抗値を小さくし、引出電極部８１３Ａの長さが短いほど抵抗器１５Ｃの抵抗値を大きくしてもよい。
【０１７２】
また、導電領域８２１に接続される引出電極部８１３Ｂについても同様に抵抗値の調整を行ってもよい。
【０１７３】
なお、端子１５の配線部分に抵抗器１５Ｃを挿入する代わりに、座標検出回路５０内に抵抗器１５Ｃを挿入することによって、図２３に示す抵抗値の調整と同様に抵抗値を調整してもよい。
【０１７４】
＜実施の形態９＞
図２４は、実施の形態９のタッチパネル９００の上部電極基板の透明導電膜９１２に形成される導電領域９２１、９２２、９２３の配列を示す図である。
【０１７５】
図２４に示すように、実施の形態９のタッチパネル９００の上部電極基板の透明導電膜９１２には、６行８列で４８個の導電領域９２１、９２２、９２３が透明導電膜９１２に形成されている。なお、図２４には説明の便宜上、引出電極部９１３の一本一本の幅を拡大して示すが、実際には図２３に示す引出電極部８１３と同様に、すべての引出電極部９１３が４８個の導電領域９２１、９２２、９２３の周囲の幅の狭い領域に形成される。
【０１７６】
透明導電膜９１２に形成される複数の導電領域は、平面視で外側に位置する１６個の導電領域９２１と、平面視で内側に位置する１６個の導電領域９２２と、平面視で内側に位置する１６個の導電領域９２３とに分けられる。導電領域９２２は、実施の形態８の導電領域８２２と同様に、平面視で内側に位置する導電領域であるが、実施の形態９では導電領域９２２よりもさらに内側に位置する導電領域９２３が形成されている。
【０１７７】
導電領域９２１は、上部電極基板９１０の長手方向に沿った二辺のうちの一辺と接しており、導電領域９２２、９２３は、上部電極基板９１０の四辺のうち長手方向に沿った辺とは接していない。このため、引出電極部９１３との位置関係では、導電領域９２１は平面視で外側に位置しており、導電領域９２２、９２３は平面視で内側に位置している。
【０１７８】
また、導電領域９２３は、導電領域９２２よりもさらに内側に位置している。
【０１７９】
導電領域９２２の領域部９２２ａから、上部電極基板９１０の長手方向に沿った辺の端まで延びる引出部９２２ｂを形成し、更に、この辺の端に接する接続部９２２ｃを形成する。引出部９２２ｂは、接触位置の誤認識を防ぐためにも、できるだけ細く形成することが好ましい。
【０１８０】
同様に、導電領域９２３の領域部９２３ａから、上部電極基板９１０の長手方向に沿った辺の端まで延びる引出部９２３ｂを形成し、更に、この辺の端に接する接続部９２３ｃを形成する。
【０１８１】
引出部９２３ｂは、接触位置の誤認識を防ぐためにも、できるだけ細く形成することが好ましいが、実施の形態９では、引出部９２３ｂの幅Ｂは、引出部９２２ｂの幅Ａよりも広く設定されている。これは、導電領域９２３と座標検出回路５０との間の抵抗値と、導電領域９２２と座標検出回路５０との間の抵抗値とを等しくするためである。
【０１８２】
また、導電領域９２１は、領域部９２１ａ及び迂回部９２１ｂを有する。迂回部９２１ｂは、引出電極部９１３Ａと接続するための接続部であり、切り込み部９２１ｃ、９２１ｄを形成することによってコの字型に迂回している。迂回部９２１ｂは、線路長を長くするとともに線路幅を細くして抵抗値を増大させてある。
【０１８３】
迂回部９２１ｂの抵抗値は、引出部９２２ｂ及び接続部９２２ｃの合成抵抗値と、引出部９２３ｂ及び接続部９２３ｃの合成抵抗値と等しくなるように設定されている。
【０１８４】
以上のようにして、タッチパネル９００の透明導電膜９１２は、平面視で外側に位置する導電領域９２１及び座標検出回路５０の間の抵抗値と、平面視で内側に位置する導電領域９２２及び座標検出回路５０の間の抵抗値と、平面視でさらに内側に位置する導電領域９２３及び座標検出回路５０の間の抵抗値とがすべて等しくなるように構成されている。
【０１８５】
従って、実施の形態９によれば、平面視で外側に位置する導電領域９２１及び座標検出回路５０の間の抵抗値と、平面視で内側に位置する導電領域９２２及び座標検出回路５０の間の抵抗値と、平面視でさらに内側に位置する導電領域９２３及び座標検出回路５０の間の抵抗値とがすべて等しいため、導電領域９２１、９２２、９２３に接続されるフィルタ回路等を共通化でき、回路の簡素化を図ることができる。
【０１８６】
なお、導電領域９２１は図２４に示すように８列形成されており、各導電領域９２１と、端子１５との間を接続する引出電極部９１３Ａの長さは異なる。このため、引出電極部９１３Ａの長さによる抵抗値の違いが問題になる場合は、引出電極部９１３Ａの長さが長い導電領域９２１ほど迂回部９２１ｂの抵抗値を小さくし、引出電極部９１３Ａの長さが短い導電領域９２１ほど迂回部９２１ｂの抵抗値を大きくしてもよい。
【０１８７】
また、導電領域９２２、９２３に接続される引出電極部９１３Ｂ、９１３Ｃについても同様に抵抗値の調整を行ってもよい。
【０１８８】
また、上述のように、迂回部９２１ｂ、引出部９２２ｂ及び接続部９２２ｃ、引出部９２３ｂ及び接続部９２３ｃの抵抗値を調整することに代えて、あるいは、加えて、実施の形態８のタッチパネル８００と同様に、引出電極部９１３Ａ、９１３Ｂ、９１３Ｃを構成する銀ペーストの抵抗率や、線幅又は線長を調整することによって抵抗値の調整を行ってもよい。
【０１８９】
また、端子１５又は座標検出回路に抵抗器を挿入することによって、抵抗値を調整してもよい。
【０１９０】
以上、本発明の例示的な実施の形態のタッチパネルについて説明したが、本発明は、具体的に開示された実施の形態に限定されるものではなく、特許請求の範囲から逸脱することなく、種々の変形や変更が可能である。
【符号の説明】
【０１９１】
１０    上部電極基板
１１    フィルム
１２    透明導電膜
１３    引出電極部
１４    フレキシブル基板
２０    下部電極基板
２１    ガラス
２２    透明導電膜
２３    電極
２４    電極
２５    電極
２６    電極
２７    フレキシブル基板
３１    スペーサ
１２１    導電領域
１２１ａ    領域部
１２１ｂ    引出部
１２１ｃ    接続部
１２２    導電領域
１３１    引出電極
１３２    引出電極
１２０Ａ、１２０Ｂ、３１２Ａ、３２１Ｂ、４１２Ａ〜４１２Ｎ、５１２Ａ〜５１２Ｈ、５１２Ｌ、５１２Ｒ、６１２Ａ〜６１２Ｇ    領域
２１０、３１０、４１０、５１０、６１０、７１０    上部電極基板
２１２、３１２、４１２、５１２、６１２、７１２    透明導電膜
２２０    下部電極基板
２２２    透明導電膜
２２３    電極
７１２Ａ    中央部
７１２Ｂ    周囲部
７１２Ｃ    引出部
８００    タッチパネル
８１０    上部電極基板
８１１    フィルム
８１２    透明導電膜
８１３    引出電極部
８１３Ａ    引出電極部
８１３Ｂ    引出電極部
１５Ｃ    抵抗器
８１３Ｃ    迂回部
８２０    下部電極基板
８２１    導電領域
８２１ａ    領域部
８２１ｂ    迂回部
８２２    導電領域
８２２ａ    領域部
８２２ｂ    引出部
８２２ｃ    接続部
９００    タッチパネル
９１０    上部電極基板
９１２    透明導電膜
９１３    引出電極部
９１３Ａ、９１３Ｂ、９１３Ｃ    引出電極部
９２１、９２２、９２３    導電領域
９２１ａ    領域部
９２１ｂ    迂回部
９２２ａ    領域部
９２２ｂ    引出部
９２２ｃ    接続部
９２３ａ    領域部
９２３ｂ    引出部
９２３ｃ    接続部
【図１】
0005797451.tif 000002
【図２】
0005797451.tif 000003
【図３】
0005797451.tif 000004
【図４】
0005797451.tif 000005
【図５】
0005797451.tif 000006
【図６】
0005797451.tif 000007
【図７】
0005797451.tif 000008
【図８】
0005797451.tif 000009
【図９】
0005797451.tif 000010
【図１０】
0005797451.tif 000011
【図１１】
0005797451.tif 000012
【図１２】
0005797451.tif 000013
【図１３】
0005797451.tif 000014
【図１４】
0005797451.tif 000015
【図１５】
0005797451.tif 000016
【図１６】
0005797451.tif 000017
【図１７】
0005797451.tif 000018
【図１８】
0005797451.tif 000019
【図１９】
0005797451.tif 000020
【図２０】
0005797451.tif 000021
【図２１】
0005797451.tif 000022
【図２２】
0005797451.tif 000023
【図２３】
0005797451.tif 000024
【図２４】
0005797451.tif 000025